(57)【特許請求の範囲】
【請求項１】
テキスト情報表示方法において、
テキスト情報を構成する文字列のうち一部文字列で構成された少なくとも一つのテキスト情報アイテムが配列されたテキスト情報リストを表示するテキスト情報リストの表示ステップと、
特定キーの入力時、前記少なくとも一つのテキスト情報アイテムをそれぞれ該当テキスト情報を構成する文字列の全体で構成して表示する変更表示ステップと、
を含み、
前記テキスト情報リストは、前記特定キーである第１アイコンを含み、
前記変更表示ステップの表示は、前記第１アイコンを前記テキスト情報リストの表示をさせる第２アイコンに変更し、かつ、前記少なくとも一つのテキスト情報アイテムのそれぞれが、該当テキスト情報を構成する文字列のうち一部文字列で構成された表示をさせる個別アイコンを含む、表示であって、それらの個別アイコンのいずれかが入力されれば、前記第２アイコンを前記第１アイコンに変更する
ことを特徴とするテキスト情報表示方法。
【請求項２】
前記変更表示ステップは、
前記第１アイコンにタッチが入力される場合には、前記少なくとも一つのテキスト情報アイテムをそれぞれ該当テキスト情報を構成する文字列の全体で構成し、前記少なくとも一つのテキスト情報アイテムが配列された方向に拡大して表示することを特徴とする請求項１に記載のテキスト情報表示方法。
【請求項３】
前記第２アイコンが入力されるステップと、
前記第２アイコンが入力されれば、前記少なくとも一つのテキスト情報アイテムをそれぞれ該当テキスト情報を構成する文字列のうち一部文字列で構成し、前記方向の反対方向に縮小して表示するステップと、
をさらに含むことを特徴とする請求項２に記載のテキスト情報表示方法。
【請求項４】
前記少なくとも一つのテキスト情報アイテムには、文字列省略記号がさらに表示されることを特徴とする請求項１に記載のテキスト情報表示方法。
【請求項５】
前記テキスト情報リストの表示ステップは、
テキスト情報を構成する文字列のうち一部文字列で構成され、第３アイコンを含む少なくとも一つのテキスト情報アイテムが一方向に配列され、一定領域に前記第１アイコンを含むテキスト情報リストを表示するステップであることを特徴とする請求項２に記載のテキスト情報表示方法。
【請求項６】
前記変更表示ステップは、
前記第３アイコンが入力されれば、前記第３アイコンが入力されたテキスト情報アイテムを該当テキスト情報を構成する文字列の全体で構成し、前記一方向に拡大して表示し、前記第１アイコンが入力されれば、前記少なくとも一つのテキスト情報アイテムをそれぞれ該当テキスト情報を構成する文字列の全体で構成し、前記一方向に拡大して表示するステップであることを特徴とする請求項５に記載のテキスト情報表示方法。
【請求項７】
前記変更表示ステップは、
前記第３アイコンを前記個別アイコンである第４アイコンに変更して表示し、前記第１アイコンを前記第２アイコンに変更して表示することを特徴とする請求項６に記載のテキスト情報表示方法。
【請求項８】
ユーザ命令の入力を受ける入力部と、
画面を出力する表示部と、
前記入力部を介してテキスト情報リストの表示命令が入力されることを認識すれば、前記表示部を制御して、テキスト情報を構成する文字列のうち一部文字列で構成された少なくとも一つのテキスト情報アイテムが配列されたテキスト情報リストを表示し、前記入力部を介して特定キーが入力されることを認識すれば、前記表示部を制御して、前記少なくとも一つのテキスト情報アイテムをそれぞれ該当テキスト情報を構成する文字列の全体で構成して表示する制御部と、
を含み、
前記テキスト情報リストは、前記特定キーである第１アイコンを含み、
前記特定キーが入力されることを認識して前記制御部がする表示は、前記第１アイコンを前記テキスト情報リストの表示をさせる第２アイコンに変更し、かつ、前記少なくとも一つのテキスト情報アイテムのそれぞれが、該当テキスト情報を構成する文字列のうち一部文字列で構成された表示をさせる個別アイコンを含む、表示であって、前記制御部が、それらの個別アイコンのいずれかが入力されることを認識すれば、前記表示部を制御して、前記第２アイコンを前記第１アイコンに変更する
ことを特徴とする携帯端末機。
【発明の詳細な説明】
【技術分野】
【０００１】
本発明は、携帯端末機のテキスト情報表示方法及び装置に関し、特に、携帯端末機でテキスト情報から構成されるリスト画面を表示する方法とこれを支援する装置に関する。
【背景技術】
【０００２】
最近、携帯端末機の普及率の急速な増加により、携帯端末機は、現代人の生活必需品として位置付けられるようになった。このような携帯端末機は、固有の音声通話サービスだけでなく、様々なデータ伝送サービスと多様な付加サービスも提供することが可能となり、機能上マルチメディア通信機器に変貌するようになった。
【０００３】
携帯端末機には一般的にメモ機能が含まれ、ユーザは、前記メモ機能によって記憶しなければならないテキスト情報を携帯端末機に格納させることができる。この後、ユーザが格納されたテキスト情報を確認するとき、携帯端末機は、各テキスト情報のタイトルまたは一部の文字列で構成されるテキスト情報リストを提供し、ユーザがテキスト情報リストからいずれか一つのテキスト情報のタイトルまたは文字列を選択すれば、選択されたテキスト情報の全体内容が表示され、ユーザは、前記画面を介してテキスト情報を確認することができる。
【０００４】
ところが、前記特徴を有するメモ機能は、全体内容を確認するために、テキストリストの画面から全体内容の表示画面に切り替えなければならない点、テキストリストの画面でテキスト情報の全体内容を確認できない点、一つの画面で一つのテキスト情報の全体情報のみを確認できる点が限界点として指摘されている。
【発明の概要】
【発明が解決しようとする課題】
【０００５】
本発明の目的は、画面の切り替えなしで、テキスト情報リスト画面でテキスト情報の全体内容を確認することができるテキスト情報表示方法及び装置を提供することにある。
【０００６】
本発明の他の目的は、一つの画面で複数のテキスト情報の全体内容を確認することができるテキスト情報表示方法及び装置を提供することにある。
【課題を解決するための手段】
【０００７】
本発明の実施例に係るテキスト情報表示方法は、テキスト情報を構成する文字列のうち一部文字列で構成された少なくとも一つのテキスト情報アイテムが配列されたテキスト情報リストを表示するテキスト情報リストの表示ステップと、特定キーの入力時に、前記少なくとも一つのテキスト情報アイテムをそれぞれ該当テキスト情報を構成する文字列の全体で構成して表示する変更表示ステップと、を含むことを特徴とする。
【０００８】
本発明の他の実施例に係るテキスト情報表示方法は、複数のテキスト情報アイテムが配列されるテキスト情報リストを表示するテキスト情報リストの表示ステップと、前記複数のテキストアイテムのうち少なくとも一つのテキスト情報アイテムが選択される選択ステップと、特定キーが入力されれば、前記選択された少なくとも一つのアイテムを前記テキスト情報リストから削除して表示する削除表示ステップと、を含むことを特徴とする。
【０００９】
本発明の実施例に係るテキスト情報を表示する携帯端末機は、ユーザ命令の入力を受ける入力部と、画面を出力する表示部と、前記入力部を介してテキスト情報リストの表示命令が入力されることを認識すれば、前記表示部を制御して、テキスト情報を構成する文字列のうち一部文字列で構成された少なくとも一つのテキスト情報アイテムが配列されたテキスト情報リストを表示し、前記入力部を介して特定キーが入力されることを認識すれば、前記表示部を制御して、前記少なくとも一つのテキスト情報アイテムをそれぞれ該当テキスト情報を構成する文字列の全体で構成して表示する制御部と、を含むことを特徴とする。
【００１０】
本発明の他の実施例に係るテキスト情報を表示する携帯端末機は、ユーザ命令の入力を受ける入力部と、画面を出力する表示部と、前記入力部を介してテキスト情報リストの表示命令が入力されることを認識すれば、前記表示部を制御して複数のテキスト情報アイテムが配列されるテキスト情報リストを表示し、前記入力部を介して前記複数のテキストアイテムのうち少なくとも一つのテキスト情報アイテムが選択されることを認識し、前記入力部を介して特定キーが入力されることを認識すれば、前記表示部を制御して前記選択された少なくとも一つのアイテムを前記テキスト情報リストから削除して表示する制御部と、を含むことを特徴とする。
【発明の効果】
【００１１】
本発明により、ユーザは、画面の切り替えなしで、テキスト情報リスト画面ですぐにテキスト情報の全体内容を確認することができ、テキスト情報への迅速なアクセスが可能となる。また、本発明により、ユーザは、一つの画面で複数のテキスト情報の全体内容を確認することができる。
【図面の簡単な説明】
【００１２】
【図１】本発明の実施例に係る携帯端末機の内部構成図である。
【図２】本発明の第１実施例に係る携帯端末機のテキスト情報表示方法を示すフローチャートである。
【図３】本発明の第１実施例のテキスト情報表示方法により表示されるテキスト情報リストを示す図である。
【図４】本発明の第２実施例に係るテキスト情報表示方法を示すフローチャートである。
【図５】本発明の第２実施例のテキスト情報表示方法により表示されるテキスト情報リストを示す図である。
【図６】本発明の第３実施例に係るテキスト情報表示方法を示すフローチャートである。
【図７】本発明の第３実施例のテキスト情報表示方法により表示されるテキスト情報リストを示す図である。
【図８】テキスト情報リストからテキスト情報編集画面に切り替えられる形態と、テキスト情報編集画面の表示変更形態とを示す図である。
【発明を実施するための形態】
【００１３】
本発明で「テキスト情報」は、少なくとも一つの文字または文字列で構成されるコンテンツであって、メモ、受信文字メッセージ、発信文字メッセージなどに該当し、「テキスト情報リスト」は、少なくとも一つのテキスト情報で構成されるリストであって、メモリスト、受信文字メッセージリスト、発信文字メッセージリストなどに該当する。また、本発明で「テキスト情報アイテム」は、テキスト情報リストを構成するグラフィックオブジェクトであって、それぞれのテキスト情報は、テキスト情報アイテムで表示される。本発明でテキスト情報アイテムは、該当テキスト情報を構成する文字列のうち一部文字列で表示されてもよく、全体文字列で表示されてもよい。
【００１４】
以下、添付された図面を参照して本発明の好ましい実施例を詳細に説明する。このとき、添付された図面で同一の構成要素は、なるべく同一の符号で示していることに留意しなければならない。また、本発明の要旨を不明瞭にする公知機能および構成に対する詳細な説明は省略する。
【００１５】
本発明は、携帯端末機を例に挙げて説明するが、これに限定されるものではなく、タッチスクリーンが備えられた全ての装置に適用することができる。また、本発明の実施例に係る携帯端末機は、タッチスクリーンが備えられた端末機であって、好ましくは、移動通信端末機、携帯用マルチメディア再生装置（Ｐｏｒｔａｂｌｅ  Ｍｕｌｔｉｍｅｄｉａ  Ｐｌａｙｅｒ：ＰＭＰ）、個人情報端末機（Ｐｅｒｓｏｎａｌ  Ｄｉｇｉｔａｌ  Ａｓｓｉｓｔａｎｔ：ＰＤＡ）、スマートフォン（Ｓｍａｒｔ  Ｐｈｏｎｅ）、ＭＰ３プレーヤーなどのような情報通信機器、及びマルチメディア機器から構成されてもよい。
【００１６】
図１は、本発明の実施例に係る携帯端末機１００の内部構成図に該当する。本発明の携帯端末機１００は、無線通信部１１０、オーディオ処理部１２０、タッチスクリーン部１３０、キー入力部１４０、格納部１５０、及び制御部１６０を含む。
【００１７】
無線通信部１１０は、携帯端末機１００の無線通信のための該当データの送受信機能を行う。無線通信部１１０は、送信される信号の周波数を上昇変換及び増幅するＲＦ送信機と、受信される信号を低雑音増幅して周波数を下降変換するＲＦ受信機などで構成される。また、無線通信部１１０は、無線チャネルによりデータを受信して制御部１６０に出力し、制御部１６０から出力されたデータを無線チャネルを介して伝送することができる。
【００１８】
オーディオ処理部１２０は、コーデック（ＣＯＤＥＣ）で構成され、コーデックは、パケットデータなどを処理するデータコーデックと、音声などのオーディオ信号を処理するオーディオコーデックとから構成される。オーディオ処理部１２０は、デジタルオーディオ信号をオーディオコーデックを通じてアナログオーディオ信号に変換し、スピーカー（ＳＰＫ）を通じて再生し、マイク（ＭＩＣ）から入力されるアナログオーディオ信号をオーディオコーデックを通じてデジタルオーディオ信号に変換する。
【００１９】
タッチスクリーン部１３０は、タッチセンサ部１３１及び表示部１３２を含む。タッチセンサ部１３１は、ユーザのタッチ入力を感知する。タッチセンサ部１３１は、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）等のタッチ感知センサで構成されてもよく、圧力感知センサ（ｐｒｅｓｓｕｒｅ  ｓｅｎｓｏｒ）で構成されてもよい。前記センサの他にも物体の接触または圧力を感知できる全ての種類のセンサ機器が本発明のタッチセンサ部１３１で構成されてもよい。タッチセンサ部１３１は、ユーザのタッチ入力を感知し、感知信号を発生させて制御部１６０に伝送する。前記感知信号には、ユーザがタッチを入力した座標データが含まれる。ユーザがタッチ位置移動動作を入力した場合に、タッチセンサ部１３１は、タッチ位置移動経路の座標データを含む感知信号を発生させて制御部１６０に伝送する。本発明でタッチ位置移動動作には、タッチ位置の移動速度が既設定された臨界速度よりも大きな動作に該当するフリック（ｆｌｉｃｋ）、タッチ位置の移動速度が既設定された臨界速度よりも小さな動作に該当するドラッグ（ｄｒａｇ）が含まれる。
【００２０】
表示部１３２は、液晶表示装置（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ  Ｅｍｉｔｔｉｎｇ  Ｄｉｏｄｅｓ）、能動型有機発光ダイオード（ＡＭＯＬＥＤ：Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）等で形成され、携帯端末機１００のメニュー、入力されたデータ、機能設定情報、及びその他の多様な情報をユーザに視覚的に提供する。表示部１３２は、携帯端末機１００の起動画面、待機画面、メニュー画面、通話画面、その他のアプリケーション画面を出力する機能を行う。
【００２１】
キー入力部１４０は、携帯端末機１００を制御するためのユーザのキー操作の入力を受けて、入力信号を生成して制御部１６０に伝達する。キー入力部１４０は、数字キー、方向キーを有するキーパッドで構成され、携帯端末機１００の一面に所定のファンクションキーで形成される。本発明の実施例により、タッチスクリーン部１３０のみで全ての操作が可能な携帯端末機の場合には、キー入力部１４０が省略されてもよい。
格納部１５０は、携帯端末機１００の動作に必要なプログラム及びデータを格納する役割を行い、プログラム領域とデータ領域とに区分される。プログラム領域は、携帯端末機１００の全般的な動作を制御するプログラム、携帯端末機１００を起動させるオペレーティングシステム（ＯＳ：Ｏｐｅｒａｔｉｎｇ  Ｓｙｓｔｅｍ）、マルチメディアコンテンツの再生などに必要なアプリケーション、携帯端末機１００のその他のオプション機能、例えば、カメラ機能、音声再生機能、イメージまたは動画の再生機能に必要なアプリケーションなどを格納することができる。データ領域は、携帯端末機１００の使用により発生するデータが格納される領域であって、イメージ、動画、フォンブック、オーディオデータなどを格納することができる。
【００２２】
制御部１６０は、携帯端末機の各構成要素に対する全般的な動作を制御する。本発明の第１実施例に係る制御部１６０は、テキスト情報リストの表示命令が入力されるか否かを判断し、入力される場合には、表示部１３２を制御してテキスト情報の一部文字列で構成された少なくとも一つのテキスト情報アイテムが一方向に配列され、全体拡大キーを含む形態のテキスト情報リストを表示する。テキスト情報リストが表示された状態で、制御部１６０は、タッチセンサ部１３１を制御してテキスト情報リストに表示された全体拡大キーが入力されるか否を判断し、入力される場合には、表示部１３２を制御して全体テキスト情報アイテムをテキスト情報の全体文字列で構成することで、テキスト情報アイテム配列方向に拡大して表示し、全体拡大キーを全体縮小キーに変更して表示する。
【００２３】
本発明の第２実施例に係る制御部１６０は、テキスト情報リストの表示命令が入力されるかを判断し、入力される場合には、表示部１３２を制御してテキスト情報の全体文字列で構成し、個別縮小キーを含む複数のテキスト情報アイテムが一方向に配列され、全体縮小キーを含む形態のテキスト情報リストを表示する。テキスト情報リストが表示された状態で、制御部１６０は、タッチセンサ部１３１を制御していずれか一つのテキスト情報アイテムの個別縮小キーが入力されるか否かを判断し、入力される場合には、表示部１３２を制御して個別縮小キーが入力されたテキスト情報アイテムを該当テキスト情報の一部文字列で構成し、テキスト情報アイテム配列方向の反対方向に縮小して表示し、入力された個別縮小キーを個別拡大キーに変更し、全体縮小キーを全体拡大キーに変更して表示する。この後、制御部１６０は、タッチセンサ部１３１を制御して、縮小されたテキスト情報アイテムに含まれた個別拡大キーが入力されるか否かを判断し、入力される場合には、表示部１３２を制御して個別拡大キーが入力されたテキスト情報アイテムを該当テキスト情報の全体文字列で構成し、テキスト情報アイテムの配列方向に拡大して表示し、個別拡大キーを個別縮小キーに変更して表示することができる。また、制御部１６０は、タッチセンサ部１３１を制御して全体拡大キーが入力されるか否かを判断し、入力される場合には、表示部１３２を制御して全体テキスト情報アイテムを該当テキスト情報の全体文字列で構成し、テキスト情報アイテムの配列方向に拡大して表示し、個別拡大キーを個別縮小キーに変更して表示し、全体拡大キーを全体縮小キーに変更して表示することができる。
【００２４】
本発明の第３実施例に係る制御部１６０は、テキスト情報リストの表示命令が入力されるか否かを判断し、入力される場合には、表示部１３２を制御して個別削除キーが含まれた複数のテキスト情報アイテムと、複数の削除キーを含む形態のテキスト情報リストとを表示する。テキスト情報リストが表示された状態で、制御部１６０は、タッチセンサ部１３１を制御していずれか一つのテキスト情報アイテムの個別削除キーが入力されるか否かを判断し、入力される場合には、表示部１３２を制御して個別削除キーが入力されたテキスト情報アイテムをテキスト情報リストから削除して表示する。個別削除キーが入力されず、複数の削除キーが入力される場合、制御部１６０は、表示部１３２を制御して個別削除キーを選択キーに変更して表示し、タッチセンサ部１３１を制御して少なくとも一つのテキスト情報アイテムが選択されるか否かを判断し、選択されれば表示部１３２を制御し、選択されたテキスト情報アイテムの選択キーに選択されたことを知らせるイメージを表示する。この後、制御部１６０は、タッチセンサ部１３１を制御して複数の削除キーが入力されるか否かを判断し、入力される場合には、表示部１３２を制御し、選択された少なくとも一つのテキスト情報アイテムを削除して表示する。
【００２５】
図２は、本発明の第１実施例に係る携帯端末機１００のテキスト情報表示方法を示すフローチャートである。本発明の第１実施例は、テキスト情報リストを構成する全体テキスト情報アイテムに対してテキスト情報アイテムの表示形態を変更する実施例に該当する。
【００２６】
２０１ステップで制御部１６０は、テキスト情報リストの表示命令が入力されるか否かを判断する。本発明の実施例により、制御部１６０は、タッチスクリーン部１３０及びキー入力部１４０を制御して、ユーザからメモリスト表示命令、受信文字メッセージリスト表示命令、または発信文字メッセージリスト表示命令が入力されるか否を判断することにより、テキスト情報リストの表示命令が入力されるか否かを判断することができる。
【００２７】
テキスト情報リストの表示命令が入力されたと判断すれば、制御部１６０は、２０２ステップにおいて、表示部１３２を制御してテキスト情報の一部文字列で構成された少なくとも一つのテキスト情報アイテムが一方向に配列され、全体拡大キーを含む形態のテキスト情報リストを表示する。本発明の実施例により、２０２ステップにおいてテキスト情報アイテムは、該当テキスト情報の一部文字列で一つのラインを構成した形態に表示される。テキスト情報アイテムに表示される一部文字列は、テキスト情報を構成する全体文字列のうち、最初のラインを構成する文字列に該当する。本発明の実施例により、２０２ステップにおいてテキスト情報アイテムは、該当テキスト情報の一部文字列で二つまたは三つのラインを構成した形態に表示される。また、２０２ステップでテキスト情報アイテムには、表示された文字列のうち最後に位置する文字列の次の位置に文字列省略を示す記号が表示される。文字列省略を示す記号としては、「．．．」、「→」などがある。ユーザは、文字列省略を示す記号により、テキスト情報アイテムには、テキスト情報の一部の内容のみが表示されていることが分かる。
【００２８】
本発明の実施例により、テキスト情報がメモに該当する場合には、テキスト情報アイテムには、メモが作成された日付情報または時刻情報がさらに表示される。また、テキスト情報が受信文字メッセージに該当する場合には、テキスト情報アイテムには、文字メッセージを受信した日付情報または時刻情報が表示される。また、テキスト情報が発信文字メッセージに該当する場合には、テキスト情報アイテムには、文字メッセージを発信した日付情報または時刻情報が表示される。
【００２９】
本発明でテキスト情報アイテムは、既設定された順に配列される。テキスト情報がメモに該当する場合には、テキスト情報アイテムは、最近作成されたメモ順に配列される。また、テキスト情報が受信文字メッセージに該当する場合には、テキスト情報アイテムは、最近受信した文字メッセージ順に配列され、テキスト情報が発信文字メッセージに該当する場合には、テキスト情報アイテムは、最近発信した文字メッセージ順に配列される。
【００３０】
本発明でテキスト情報アイテムは、上側から下側に向かう方向に配列されるか、左側から右側に向かう方向に配列される。テキスト情報アイテムが長方形で構成される場合には、テキスト情報リストは、長方形のブロックが上側から下側に配列された形態で構成されてもよく、左側から右側に配列された形態で構成されてもよい。本発明の第１実施例では、長方形のテキスト情報アイテムが上側から下側に配列された形態を基準にして説明する。
【００３１】
本発明のテキスト情報リストには、全体拡大キーが含まれてもよい。全体拡大キーは、表示部１３２の左側下端、右側下端、左側上端、右側下端などの端部領域にアイコン形態で表示される。全体拡大キーには、「Ｍａｘｉｍｉｚｅ」のような「拡大」の意味を有する文字が表示されることが好ましい。全体拡大キーは、テキスト情報アイテムが表示される領域以外の領域に表示され、テキスト情報アイテムの上に重なった形態で表示される。本発明の実施例により、テキスト情報がメモに該当する場合、テキスト情報リストには、新しいメモを作成するための「新しいメモ作成キー」がさらに含まれてもよい。本発明の実施例により、テキスト情報リストが最初に表示される時には、全体拡大キーが表示されないが、所定のメニューキーの入力により、全体拡大キーが呼び出されてテキスト情報リストに表示される。
【００３２】
図３は、本発明の第１実施例のテキスト情報表示方法により表示されるテキスト情報リストを示す図である。
【００３３】
図３の［ａ］は、テキスト情報リストの例示であって、メモリストを示している。テキスト情報リストには、６個のテキスト情報アイテム３１が上側から下側方向に配列されて表示されている。テキスト情報アイテム３１は、最近作成したメモ順に上側から下側方向に配列されている。テキスト情報アイテム３１は、長方形で構成され、それぞれのテキスト情報アイテム３１には、メモが入力された日付情報とテキスト情報の一部文字列が表示されている。また、それぞれのテキスト情報アイテム３１には、文字列省略を示す記号が表示されている。最も上位に配列されたテキスト情報アイテム３１を例に挙げて説明すれば、テキスト情報アイテム３１には、メモ入力の日付情報の「Ａｕｇ  １１（Ｆｒｉ）  ２００９」と、テキスト情報の一部文字列の「Ｔｈｉｎｇｓ  ｔｏ  ｒｅｍｅｍｂｅｒ  ｗｈｅｎ」が表示されていて、文字列省略を示す記号の「．．．」が表示されている。
【００３４】
テキスト情報アイテム３１には、テキスト情報の一部文字列が一つのラインで表示されている。最も上位に配列されたテキスト情報アイテム３１には、「Ｔｈｉｎｇｓ」、「ｔｏ」、「ｒｅｍｅｍｂｅｒ」、「ｗｈｅｎ」の４個の文字列が一つのラインで表示されており、二番目で配列されたテキスト情報アイテム３１には、「Ｈｏｗ」、「ｔｏ」、「ｒｅａｃｈ」、「Ｈｏｔｅｌ」、「Ｌｅ」、「Ｓｉｘ」の６個の文字列が一つのラインで表示されている。
【００３５】
また、テキスト情報リストの右側下端には、「Ｍａｘｉｍｉｚｅ」で表示された全体拡大キー３２が表示されている。図３の［ａ］で全体拡大キー３２は、最後に配列されたテキスト情報アイテム３１と一部の領域が重なった形態で表示されている。また、テキスト情報リストの左側下端には、「Ｃｒｅａｔｅ」で表示された新しいメモ作成キーが表示されている。
【００３６】
テキスト情報リストが表示された状態で、制御部１６０は、２０３ステップでタッチセンサ部１３１を制御して、テキスト情報リストに表示された全体拡大キーが入力されるか否を判断する。制御部１６０は、タッチセンサ部１３１を制御してユーザから全体拡大キーにタッチ入力した後、直ちにタッチを解除する動作のタップ（ｔａｐ）が入力されるか否を判断することができる。
【００３７】
全体拡大キーが入力される場合、制御部１６０は、２０４ステップで表示部１３２を制御して全体テキスト情報アイテムをテキスト情報の全体文字列で構成し、テキスト情報アイテムの配列方向に拡大して表示する。２０４ステップで制御部１６０は、テキスト情報リストを構成する全体テキスト情報アイテムに対して、それぞれのテキスト情報アイテムが該当テキスト情報の全体文字列を含むように構成し、表示部１３２を制御して前記全体文字列で構成されたテキスト情報アイテムを表示する。
【００３８】
制御部１６０は、表示部１３２を制御して、それぞれのテキスト情報アイテムの大きさを追加された文字列の量だけ拡大させて表示する。テキスト情報アイテムが上側から下側に配列されている場合、制御部１６０は、表示部１３２を制御して、それぞれのテキスト情報アイテムを下側方向に拡張させて表示する。テキスト情報アイテムが拡大して表示される時、テキスト情報アイテムの配列順序は変更されず、テキスト情報アイテムは、先順位のテキスト情報アイテムが拡張された長さだけ下側に移動して表示される。例えば、１順位のテキスト情報アイテムが下側方向に拡張されれば、２順位のテキスト情報アイテムは、１順位のテキスト情報アイテムが拡張された長さだけ下側方向に移動して表示される。また、３順位のテキスト情報アイテムは、１順位のテキスト情報アイテムが拡張された長さと、２順位のテキスト情報アイテムが拡張された長さだけ下側方向に移動して表示される。
【００３９】
テキスト情報アイテムは、テキスト情報アイテムの表示割当領域に表示され、それぞれのテキスト情報アイテムが拡大すれば、テキスト情報アイテムの表示割当領域に表示可能なテキスト情報アイテムの個数が減少する。すなわち、それぞれのテキスト情報アイテムの大きさが変更され、先順位のテキスト情報アイテムの大きさの変更によって後順位のテキスト情報アイテムの位置が変更されれば、相対的に低い順位のテキスト情報アイテムは省略される。ユーザは、テキスト情報リストの上にタッチを入力した後、タッチ位置を移動させるフリックまたはドラッグの動作を通じて、後順位で配列されたテキスト情報アイテム３１を探索することができる。
【００４０】
制御部１６０は、表示部１３２を制御して、それぞれのテキスト情報アイテムを該当テキスト情報の全体文字列で構成して表示し、２０５ステップで全体拡大キーを全体縮小キーに変更して表示する。制御部１６０は、表示部１３２を制御して、全体拡大キーの位置を変更させず、「拡大」を意味する文字を「縮小」を意味する文字のみに変更することができる。
【００４１】
図３の［ｂ］は、ユーザが図３の［ａ］において、「Ｍａｘｉｍｉｚｅ」で表示された全体拡大キー３２にタップを入力した時のテキスト情報リストの変更形態を示す。図３の［ｂ］でそれぞれのテキスト情報アイテム３１は、該当テキスト情報の全体文字列で構成され、文字列省略を示す記号が削除されて表示される。最も上位に配列された１順位のテキスト情報アイテム３１を例にあげて説明すれば、「Ｔｈｉｎｇｓ  ｔｏ  ｒｅｍｅｍｂｅｒ  ｗｈｅｎ」の後に省略された文字列の「ｂｏｏｋｉｎｇ  ａ  ｈｏｔｅｌ．Ｆｒｏｍ  Ｇａｒｅ  Ｍｏｎｔｐａｒｎａｓｓｅ  ｒａｉｌｗａｙ  ｓｔａｔｉｏｎ、ｔａｋｅ  ｕｎｄｅｒｇｒｏｕｎｄ  ｌｉｎｅ  １２  ａｎｄ  ｇｅｔ  ｏｆｆ  ａｔ  ｔｈｅ  ｆｉｒｓｔ  ｓｔｏｐ．」が追加的に１順位のテキスト情報アイテム３１に表示され、文字列省略記号の「．．．」が削除される。前記省略された文字列が追加されることにより、１順位のテキスト情報アイテム３１の領域が拡大され、１順位のテキスト情報アイテム３１の領域が拡大される分だけ、２順位のテキスト情報アイテム３１が下側へ移動して表示される。
【００４２】
２順位のテキスト情報アイテム３１の場合にも「Ｈｏｗ  ｔｏ  ｒｅａｃｈ  Ｈｏｔｅｌ  Ｌｅ  Ｓｉｘ」の後に省略された文字列の「Ｂｙ  ｕｎｄｅｒｇｒｏｕｎｄ  ｌｉｎｅ７」が追加的に２順位のテキスト情報アイテム３１に表示され、文字省略記号の「．．．」が削除される。省略された文字列が追加されることにより、２順位のテキスト情報アイテム３１の領域が拡大され、１順位のテキスト情報アイテム３１及び２順位のテキスト情報アイテム３１の領域が拡大される分だけ、３順位のテキスト情報アイテム３１が下側へ移動して表示される。
【００４３】
図３の［ｂ］は、１順位のテキスト情報アイテム３１と、２順位のテキスト情報アイテム３１の全体と、３順位のテキスト情報アイテム３１の一部とを表示している。テキスト情報アイテム３１は、テキスト情報アイテムの表示割当領域に表示されるが、テキスト情報アイテムの表示割当領域の制約により、テキスト情報アイテム３１の全体が表示されず、一部のみが表示される。また、図３の［ａ］に表示された４順位〜６順位のテキスト情報アイテム３１は、図３の［ｂ］で省略されている。ユーザは、テキスト情報リストの上にタッチを入力した後、タッチ位置を移動させるフリックまたはドラッグの動作を通じて、３順位のテキスト情報アイテム３１の残りの部分と、４順位以後のテキスト情報アイテム３１を探索することができる。図３の［ａ］で表示されていた全体拡大キー３２の「Ｍａｘｉｍｉｚｅ」アイコンは、図３の［ｂ］で全体縮小キー３３の「Ｍｉｎｉｍｉｚｅ」アイコンに変更されて表示される。
【００４４】
この後、ユーザが全体縮小キーを入力すれば、制御部１６０は、表示部１３２を制御して、全体テキスト情報アイテムをさらにテキスト情報の一部文字列で構成し、テキスト情報アイテムの配列方向の反対方向に縮小させて表示することができる。図３を参照する時、ユーザが図３の［ｂ］において、全体縮小キー３３の「Ｍｉｎｉｍｉｚｅ」アイコンにタップを入力すれば、図３の［ａ］のようにそれぞれのテキスト情報アイテム３１が縮小された形態に変更され、「Ｍｉｎｉｍｉｚｅ」アイコンは、全体拡大キー３２の「Ｍａｘｉｍｉｚｅ」アイコンに変更されて表示される。
【００４５】
第１実施例でユーザは、テキスト情報の一部文字列のみで構成されたテキスト情報アイテムが配列されたテキスト情報リストで、所定のキー入力を通じてそれぞれのテキスト情報アイテムがテキスト情報の全体内容を表示させるようにする。これにより、ユーザは、テキスト情報リストでもテキスト情報の全体内容を確認することができ、一つの画面で複数のテキスト情報の全体内容を確認することができる。
【００４６】
図４は、本発明の第２実施例に係るテキスト情報表示方法を示すフローチャートである。本発明の第２実施例は、テキスト情報リストを構成するテキスト情報アイテムの全部に対して、テキスト情報アイテムの表示形態変更が可能であり、テキスト情報アイテムの一部に対しても、テキスト情報アイテムの表示形態変更が可能である実施例に該当する。
【００４７】
４０１ステップで制御部１６０は、テキスト情報リストの表示命令が入力されるか否かを判断する。第２実施例で制御部１６０は、第１実施例と同様に、タッチスクリーン部１３０及びキー入力部１４０を制御して、ユーザからメモリスト表示命令、受信文字メッセージリスト表示命令、または、発信文字メッセージリスト表示命令が入力されるか否を判断する過程を通じて、テキスト情報リストの表示命令が入力されるか否かを判断することができる。また、４０１ステップで制御部１６０は、テキスト情報の一部文字列で構成され、個別拡大キーを含む複数のテキスト情報アイテムが一方向に配列され、全体拡大キーを含む形態のテキスト情報リストが表示された状態で、タッチセンサ部１３１を制御してユーザから前記全体拡大キーにタップが入力されるか否かを判断することができる。
【００４８】
テキスト情報リストの表示命令が入力されたと判断すれば、制御部１６０は、４０２ステップで表示部１３２を制御してテキスト情報の全体文字列で構成され、個別縮小キーを含む複数のテキスト情報アイテムが一方向に配列され、全体縮小キーを含む形態のテキスト情報リストを表示する。第２実施例でテキスト情報アイテムは、最近生成または編集されたテキスト情報アイテムの順に、一定方向に配列される。一定方向は、上側から下側に向かう方向または左側から右側に向かう方向に該当する。本発明の実施例により、テキスト情報アイテムには、テキスト情報が生成または編集された日付情報や時刻情報が表示される。
【００４９】
第２実施例でそれぞれのテキスト情報アイテムには、個別縮小キーが含まれる。個別縮小キーは、現在テキスト情報アイテムが拡大状態であることを示す「△」などの記号で表示される。
【００５０】
第２実施例でテキスト情報リストには、全体縮小キーが含まれる。全体縮小キーは、表示部１３２の一定領域にアイコン形態で表示される。本発明で全体縮小キーは、「Ｍｉｎｉｍｉｚｅ」のように「縮小」の意味を有する文字を含んでもよい。本発明の実施例により、テキスト情報リストには、新しいテキスト情報を生成するためのテキスト情報生成キーがさらに含まれてもよい。
【００５１】
図５は、本発明の第２実施例のテキスト情報表示方法により表示されるテキスト情報リストを示す図である。
【００５２】
図５の［ａ］は、テキスト情報リストを示しており、テキスト情報リストには、３個のテキスト情報アイテム５１が上側から下側方向に配列されている。テキスト情報アイテム５１は、最近作成した順に上側から下側方向に配列されている。各テキスト情報アイテム５１は、長方形で構成され、テキスト情報が生成された日付と該当テキスト情報の一部文字列を含んでいる。また、各テキスト情報アイテム５１は、テキスト情報が生成された日付の左側領域に個別縮小キー５３を含んでいる。
【００５３】
テキスト情報リストの右側下端には、「Ｍｉｎｉｍｉｚｅ」で表示された全体縮小キー５２が表示されている。また、テキスト情報リストの左側下端には、「Ｃｒｅａｔｅ」で表示されたテキスト情報生成キーが表示されている。
【００５４】
テキスト情報リストが表示された状態で、制御部１６０は、４０３ステップでタッチセンサ部１３１を制御して、いずれか一つのテキスト情報アイテムの個別縮小キーが入力されるか否かを判断する。個別縮小キーが入力される場合、制御部１６０は、４０４ステップで表示部１３２を制御して、個別縮小キーが入力されたテキスト情報アイテムを該当テキスト情報の一部文字列で構成し、テキスト情報アイテムの配列方向の反対方向に縮小して表示する。制御部１６０は、表示部１３２を制御して、全体文字列から一部文字列に変更されながら削除される文字列の量だけテキスト情報アイテムの大きさを縮小させて表示する。テキスト情報アイテムが上側から下側に配列されている場合、制御部１６０は、表示部１３２を制御して、個別縮小キーが入力されたテキスト情報アイテムを上側方向に縮小させて表示する。テキスト情報アイテムが縮小されて表示される時、テキスト情報アイテムの配列順序は変更されず、いずれか一つのテキスト情報アイテムが縮小されれば、後順位のテキスト情報アイテムは、縮小された長さだけ上側に移動して表示される。例えば、２順位のテキスト情報アイテムが縮小されれば、３順位以下のテキスト情報アイテムは、２順位のテキスト情報アイテムが縮小された長さだけ上側方向に移動して表示される。
【００５５】
テキスト情報アイテムは、テキスト情報アイテムの表示割当領域に表示され、一つのテキスト情報アイテムが縮小されれば、テキスト情報アイテムの表示割当領域に表示可能なテキスト情報アイテムの個数が増加する。すなわち、いずれか一つのテキスト情報アイテムの大きさが縮小されるにつれて、後順位のテキスト情報アイテムが上側方向に移動するようになれば、表示されていないテキスト情報アイテムが新しく生成されて表示される。
【００５６】
制御部１６０は、表示部１３２を制御して、個別縮小キーが入力されたテキスト情報アイテムを該当テキスト情報の一部文字列で構成して表示し、４０５ステップで入力された個別縮小キーを個別拡大キーに変更し、全体縮小キーを全体拡大キーに変更して表示する。
【００５７】
図５の［ｂ］は、ユーザが図５の［ａ］において、１順位のテキスト情報アイテム５１の個別縮小キー５３にタップを入力した時のテキスト情報リストの変更形態を示す。図５の［ｂ］で個別縮小キー５３が入力された１順位のテキスト情報アイテム５１は、一つのラインに縮小されて表示され、２順位及び３順位のテキスト情報アイテム５１は、大きさの変更なしで、１順位のテキスト情報アイテム５１が縮小された長さだけ上側に移動して表示される。また、「△」形態の個別縮小キー５３は、「▽」形態の個別拡大キー５５に変更され、全体縮小キー５２の「Ｍｉｎｉｍｉｚｅ」アイコンは、全体拡大キー５４の「Ｍａｘｉｍｉｚｅ」アイコンに変更される。
【００５８】
図５の［ｃ］は、ユーザが図５の［ｂ］において、２順位のテキスト情報アイテム５１の個別縮小キー５３にタップを入力した時のテキスト情報リストの変更形態を示す。図５の［ｃ］で２順位のテキスト情報アイテム５１は、一つのラインに縮小されて表示され、３順位のテキスト情報アイテム５１は、大きさの変更なしで、２順位のテキスト情報アイテム５１が縮小された長さだけ上側に移動して表示される。また、「△」形態の個別縮小キー５３は、「▽」形態の個別拡大キー５５に変更され、全体拡大キー５４の「Ｍａｘｉｍｉｚｅ」アイコンは、表示状態がそのまま維持される。
【００５９】
本発明の実施例により、一部のテキスト情報アイテムは、縮小された状態で個別拡大キーを含んで、一部のテキスト情報アイテムは、拡大された状態で個別縮小キーを含む。テキスト情報リストに全体拡大キーが表示された状態で、制御部１６０は、タッチセンサ部１３１を制御して、縮小されたテキスト情報アイテムに含まれた個別拡大キーが入力されるか否かを判断することができる。個別拡大キーが入力されたと判断すれば、制御部１６０は、表示部１３２を制御して、個別拡大キーが入力されたテキスト情報アイテムを該当テキスト情報の全体文字列で構成し、テキスト情報アイテムの配列方向に拡大して表示することができる。このとき、制御部１６０は、表示部１３２を制御して、個別拡大キーを個別縮小キーに変更して表示することができる。
【００６０】
図５の［ｄ］は、ユーザが図５の［ｃ］において、１順位のテキスト情報アイテム５１の個別拡大キー５５にタップを入力した時のテキスト情報リストの変更形態を示す。図５の［ｄ］で１順位のテキスト情報アイテム５１は、該当テキスト情報の全体文字列で構成されて拡大し、２順位及び３順位のテキスト情報アイテム５１は、大きさの変更なしで、１順位のテキスト情報アイテム５１が拡大した長さだけ下側に移動して表示される。また、「▽」形態の個別拡大キー５５は、「△」形態の個別縮小キー５３に変更され、全体拡大キー５４の「Ｍａｘｉｍｉｚｅ」アイコンは、表示状態がそのまま維持される。
【００６１】
また、一部のテキスト情報アイテムは、縮小された状態で個別拡大キーを含んで、一部のテキスト情報アイテムは、拡大された状態で個別縮小キーを含む。テキスト情報リストに全体拡大キーが表示された状態で、制御部１６０は、タッチセンサ部１３１を制御して、全体拡大キーが入力されるか否かを判断することができる。全体拡大キーが入力されたと判断すれば、制御部１６０は、表示部１３２を制御して、全体テキスト情報アイテムを該当テキスト情報の全体文字列で構成し、テキスト情報アイテムの配列方向に拡大して表示することができる。このとき、制御部１６０は、表示部１３２を制御して、個別拡大キーを個別縮小キーに変更して表示し、全体拡大キーを全体縮小キーに変更して表示することができる。
【００６２】
図５の［ｅ］は、ユーザが図５の［ｃ］において、全体拡大キー５４にタップを入力した時のテキスト情報リストの変更形態を示す。図５の［ｅ］で１順位のテキスト情報アイテム５１と２順位のテキスト情報アイテム５１は、該当テキスト情報の全体文字列で拡大して表示され、３順位のテキスト情報アイテム５１は、大きさの変更なしで、１順位のテキスト情報アイテム５１及び２順位のテキスト情報アイテム５１が拡大した長さだけ下側に移動して表示される。また、「▽」形態の個別拡大キー５５は、「△」形態の個別縮小キー５３に変更され、全体拡大キー５４の「Ｍａｘｉｍｉｚｅ」アイコンは、全体縮小キー５２の「Ｍｉｎｉｍｉｚｅ」アイコンに変更される。
【００６３】
４０３ステップで個別縮小キーが入力されない場合、制御部１６０は、タッチセンサ部１３１を制御して全体縮小キーが入力されるか否を判断する。全体縮小キーが入力されたと判断すれば、制御部１６０は、４０７ステップで表示部１３２を制御して、全体テキスト情報アイテムを該当テキスト情報の一部文字列で構成し、テキスト情報アイテム配列方向の反対方向に縮小して表示する。テキスト情報アイテムが上側から下側に配列されている場合、制御部１６０は、表示部１３２を制御して、全体テキスト情報アイテムを上側方向に縮小させて表示する。テキスト情報アイテムは、テキスト情報アイテムの表示割当領域に表示され、それぞれのテキスト情報アイテムが縮小されれば、テキスト情報アイテムの表示割当領域に表示可能なテキスト情報アイテムの個数が増加することができる。したがって、表示されていないテキスト情報アイテムが新しく生成されて表示される。この後、制御部１６０は、４０８ステップで表示部１３２を制御して、個別縮小キーを個別拡大キーに変更し、全体縮小キーを全体拡大キーに変更して表示する。
【００６４】
第２実施例でユーザは、テキスト情報リストで選択的にテキスト情報アイテムを拡大または縮小させることができ、全体テキスト情報アイテムを拡大または縮小させることができる。ユーザは、テキスト情報リストで一部のテキスト情報アイテムに対しては、縮小された形態で表示させ、一部のテキスト情報アイテムに対しては、拡大した形態で表示させることにより、テキスト情報の重要度をテキスト情報リストに反映させることができる。
【００６５】
第１実施例は、テキスト情報リストの表示命令の入力時、すべてのテキスト情報アイテムが該当テキスト情報の一部文字列のみで構成され、全体拡大キーを含む形態のテキスト情報リストが表示されることと説明している。しかし、これに限定されるものではなく、第１実施例でテキスト情報リストの表示命令の入力時、すべてのテキスト情報アイテムが該当テキスト情報の全体文字列で構成され、全体縮小キーを含む形態のテキスト情報リストが表示される。また、第２実施例は、テキスト情報リストの表示命令の入力時、すべてのテキスト情報アイテムが該当テキスト情報の全体文字列で構成され、全体縮小キーを含む形態のテキスト情報リストが表示されることと説明している。しかし、これに限定されるものではなく、第２実施例でもテキスト情報リストの表示命令の入力時、すべてのテキスト情報アイテムが該当テキスト情報の一部文字列のみで構成され、全体拡大キーを含む形態のテキスト情報リストが表示される。
【００６６】
また、テキスト情報リストが表示された状態で、テキスト情報リストの表示終了命令が入力される場合、制御部１６０は、テキスト情報リストの表示状態を格納部１５０に格納し、さらにテキスト情報リストの表示命令が入力されれば、表示部１３２を制御して、格納部１５０に格納されていたテキスト情報リストの表示状態を復元して表示することができる。例えば、図５の［ｃ］のように、１順位のテキスト情報アイテム５１及び２順位のテキスト情報アイテム５１が縮小された状態で表示され、３順位のテキスト情報アイテム５１が拡大された状態で表示され、「Ｍａｘｉｍｉｚｅ」アイコンが表示された状態で、ユーザからテキスト情報リストの表示終了命令が入力される場合、制御部１６０は、前記図５の［ｃ］の表示状態を格納部１５０に格納し、ユーザからさらにテキスト情報リストの表示命令が入力されれば、表示部１３２を制御して、前記図５の［ｃ］の表示状態を復元させて表示することができる。
【００６７】
図６は、本発明の第３実施例に係るテキスト情報表示方法を示すフローチャートである。本発明の第３実施例は、テキスト情報リストでテキスト情報アイテムを削除するためのＧＵＩ（Ｇｒａｐｈｉｃ  Ｕｓｅｒ  Ｉｎｔｅｒｆａｃｅ）を提供する実施例に該当する。
【００６８】
６０１ステップで制御部１６０は、テキスト情報リストの表示命令が入力されるか否かを判断する。本発明の実施例により、制御部１６０は、タッチスクリーン部１３０及びキー入力部１４０を制御して、ユーザからメモリスト表示命令、受信文字メッセージリスト表示命令、または、発信文字メッセージリスト表示命令が入力されるか否を判断することにより、テキスト情報リストの表示命令が入力されるか否かを判断することができる。
【００６９】
テキスト情報リストの表示命令が入力されたと判断すれば、制御部１６０は、６０２ステップで表示部１３２を制御して、個別削除キーが含まれた複数のテキスト情報アイテムと、複数の削除キーを含む形態のテキスト情報リストとを表示する。本発明の実施例により、６０２ステップで表示されるそれぞれのテキスト情報アイテムは、該当テキスト情報の一部文字列で構成されてもよく、該当テキスト情報の全体文字列で構成されてもよい。第３実施例でテキスト情報アイテムは、最近生成または編集されたテキスト情報アイテムの順に一定方向に配列される。一定方向は、上側から下側に向かう方向または左側から右側に向かう方向に該当する。本発明の実施例により、テキスト情報アイテムには、テキスト情報が生成または編集された日付情報や時刻情報が表示される。本発明の実施例により、テキスト情報リストが最初表示される時は、複数の削除キーが表示されていないが、所定のメニューキーの入力により、複数の削除キーが呼び出されてテキスト情報リストに表示される。
【００７０】
第３実施例において、それぞれのテキスト情報アイテムには、個別削除キーが含まれる。個別削除キーは、該当テキスト情報アイテムをテキスト情報リストから削除するためのファンクションキーに該当する。個別ファンクションキーは、「Ｘ」のように「削除」の意味を有する記号で構成される。また、第３実施例において、テキスト情報リストには、複数の削除キーが含まれる。本発明で複数の削除キーは、一つ以上のテキスト情報アイテムを選択して削除するためのファンクションキーに該当する。複数の削除キーは、「Ｄｅｌｅｔｅ」のような「削除」の意味を有する文字を含む。
【００７１】
また、第３実施例において、それぞれのテキスト情報アイテムが該当テキスト情報の一部文字列で構成される場合、テキスト情報リストには、テキスト情報アイテムを拡大させるための全体拡大キーが含まれ、それぞれのテキスト情報アイテムが該当テキスト情報の全体文字列で構成される場合、テキスト情報リストには、テキスト情報アイテムを縮小させるための全体縮小キーが含まれる。本発明の実施例によりテキスト情報リストには、新しいテキスト情報を生成するためのテキスト情報生成キーがさらに含まれてもよい。
【００７２】
図７は、本発明の第３実施例のテキスト情報表示方法により表示されるテキスト情報リストを示す図である。
【００７３】
図７の［ａ］は、テキスト情報リストを示しており、テキスト情報リストには、３個のテキスト情報アイテム７１が上側から下側方向に配列されて表示されている。テキスト情報アイテム７１は、最近作成した順に上側から下側方向に配列されている。各テキスト情報アイテム７１は、長方形で構成され、テキスト情報が生成された日付と該当テキスト情報の一部文字列を含んでいる。テキスト情報リストの下側中央には、「Ｄｅｌｅｔｅ」で表示された複数の削除キー７２が示されており、右側下端には、「Ｍｉｎｉｍｉｚｅ」で表示された全体縮小キーが示されており、左側下端には、「Ｃｒｅａｔｅ」で表示されたテキスト情報生成キーが示されている。
【００７４】
テキスト情報リストが表示された状態で、制御部１６０は、６０３ステップでタッチセンサ部１３１を制御して、いずれか一つのテキスト情報アイテムの個別削除キーが入力されるか否かを判断する。個別削除キーが入力される場合、制御部１６０は、６０４ステップで表示部１３２を制御して、個別削除キーが入力されたテキスト情報アイテムをテキスト情報リストから削除して表示する。本発明の実施例により、制御部１６０は、個別削除キーの入力時、表示部１３２を制御してユーザの確認を要求するポップアップ（ｐｏｐ−ｕｐ）ウィンドウを表示することができ、前記ポップアップウィンドウでユーザによってさらに確認が入力されれば、表示部１３２を制御して、個別削除キーが入力されたテキスト情報アイテムをテキスト情報リストから削除して表示することができる。
【００７５】
テキスト情報アイテムが上側から下側に配列されている場合には、テキスト情報アイテムが削除される時、削除された領域分だけ後順位のテキスト情報アイテムが上側に移動して表示される。テキスト情報アイテムは、テキスト情報アイテムの表示割当領域に表示され、一つのテキスト情報アイテムが削除されれば、表示されていないテキスト情報アイテムがテキスト情報アイテムの表示割当領域に新しく生成されて表示される。
【００７６】
図７の［ｂ］及び［ｃ］は、ユーザが図７の［ａ］において、２順位のテキスト情報アイテム７１の個別削除キー７３にタップを入力した時のテキスト情報リストの変更形態を示す。図７の［ｂ］は、テキスト情報アイテムの削除に対して、ユーザの確認を要求するポップアップウィンドウを表示し、図７の［ｃ］は、図７の［ｂ］のポップアップウィンドウで「Ｙｅｓ」が選択される時に変更される画面に該当する。図７の［ｃ］で個別削除キー７３が入力された２順位のテキスト情報アイテム７１は、削除されており、３順位のテキスト情報アイテム７１は、２順位のテキスト情報アイテム７１が表示された領域まで上側に移動して表示されている。
【００７７】
６０３ステップで個別削除キーが入力されない場合、制御部１６０は、タッチセンサ部１３１を制御して複数の削除キーが入力されるか否かを判断する。複数の削除キーが入力される場合、制御部１６０は、６０６ステップで表示部１３２を制御して、個別削除キーを選択キーに変更して表示する。本発明で選択キーは、ユーザが一つの画面で複数のアイテムを選択できる機能を提供するためのＧＵＩに該当する。本発明で選択キーは、「レ」のようなチェック（ｃｈｅｃｋ）表示で構成される。６０２ステップでテキスト情報アイテムごとに個別削除キーが含まれない場合、制御部１６０は、６０６ステップで表示部１３２を制御して、それぞれのテキスト情報アイテム内に選択キーを生成して表示することができる。
【００７８】
全体テキスト情報アイテムが該当テキスト情報の全体文字列で構成された状態で、複数の削除キーが入力されれば、制御部１６０は表示部１３２を制御して、全体テキスト情報アイテムを該当テキスト情報の一部文字列で構成し、テキスト情報アイテム配列の反対方向に縮小させて表示することができる。また、複数の削除キーが入力された時、制御部１６０は表示部１３２を制御して、複数の削除キーの位置を移動させて表示することができる。
【００７９】
図７の［ｄ］は、ユーザが図７の［ａ］において、複数の削除キー７２にタップを入力した時のテキスト情報リストの変更形態を示す。図７の［ｄ］は、全体テキスト情報アイテム７１がそれぞれ一つのラインに縮小され、個別削除キー７３が選択キー７４に変更された形態を示している。また、図７の［ｄ］には、全体テキスト情報アイテム７１が縮小されるにつれて、図７の［ａ］に表示されていない４順位〜６順位のテキスト情報アイテム７１がさらに表示される。また、複数の削除キー７２に該当する「Ｄｅｌｅｔｅ」アイコンは、表示部１３２の下端中央から左側下端に移動して表示されている。
【００８０】
制御部１６０は、６０７ステップでタッチセンサ部１３１を制御して、少なくとも一つのテキスト情報アイテムが選択されるか否かを判断する。本発明の実施例により、制御部１６０は、６０７ステップでタッチセンサ部１３１を制御して、ユーザから選択キーにタッチが入力されるか否かを判断することができ、テキスト情報アイテム領域にタッチが入力されるか否かを判断することができる。すなわち、制御部１６０は、選択キーにタッチが入力される場合のみに選択として認識することができ、テキスト情報アイテム領域にタッチが入力される場合にも選択として認識することができる。
【００８１】
少なくとも一つのテキスト情報アイテムが選択されれば、制御部１６０は、６０８ステップで表示部１３２を制御して、選択されたテキスト情報アイテムの選択キーに選択されたことを知らせるイメージを表示する。本発明で選択されたことを知らせるイメージは、基本的に表示される選択キーイメージと区別されるイメージで構成されることが好ましい。
【００８２】
図７の［ｅ］は、ユーザが図７の［ｄ］において、２順位のテキスト情報アイテム７１と４順位のテキスト情報アイテム７１にタップを入力した時のテキスト情報リストの変更形態を示す。図７の［ｅ］において、２順位のテキスト情報アイテム７１と４順位のテキスト情報アイテム７１には、選択キー７４に「レ」が満たされた形態の選択されたことを知らせるイメージ７５が表示されている。
【００８３】
この後、制御部１６０は、６０９ステップでタッチセンサ部１３１を制御して複数の削除キーが入力されるか否かを判断する。複数の削除キーが入力される場合、制御部１６０は、６１０ステップで表示部１３２を制御して、選択された少なくとも一つのテキスト情報アイテムを削除して表示する。このとき、制御部１６０は、表示部１３２を制御して、選択キーを個別削除キーに変更して表示することができる。本発明の実施例により、制御部１６０は、表示部１３２を制御して、選択されたテキスト情報アイテムを削除した後、全体テキスト情報アイテムを該当テキスト情報の全体文字列で構成し、テキスト情報アイテム配列方向に拡大させて表示することができる。
【００８４】
図７の［ｆ］は、図７の［ｅ］において、ユーザが複数の削除キー７２の「Ｄｅｌｅｔｅ」アイコンにタップを入力した時のテキスト情報リストの変更形態を示す。図７の［ｆ］において、２順位のテキスト情報アイテム７１及び４順位のテキスト情報アイテム７１は、削除されており、１順位のテキスト情報アイテム７１と３順位のテキスト情報アイテム７１は、拡大した形態で表示されている。２順位のテキスト情報アイテム７１及び４順位のテキスト情報アイテム７１が削除されることにより、３順位のテキスト情報アイテム７１は、１順位のテキスト情報アイテム７１の後順位に移動して表示され、５順位のテキスト情報アイテム７１は、３順位のテキスト情報アイテム７１の後順位に移動して表示される。
【００８５】
第３実施例において、ユーザは、テキスト情報リストから選択的にテキスト情報アイテムを削除させることができる。特に、一回に複数のテキスト情報アイテムを削除する場合、テキスト情報アイテムの大きさを縮小させて表示することにより、ユーザが削除するテキスト情報アイテムを探索するときに便宜性が向上される。
【００８６】
本発明において、ユーザがテキスト情報リストを構成するテキスト情報アイテムの領域にタッチを入力すれば、制御部１６０は、表示部１３２を制御して、該当テキスト情報アイテムのテキスト情報編集画面を表示することができる。また、ユーザがテキスト情報編集画面上にタッチを入力すれば、制御部１６０は、表示部１３２を制御して、テキストを入力するためのキーボードを表示することができる。キーボードが表示される時、キーボード表示を隠すための隠しキーが共に表示される。また、ユーザが隠しキーにタッチを入力すれば、制御部１６０は、表示部１３２を制御し、キーボードを削除して表示することができる。
【００８７】
本発明の実施例により、テキスト情報編集画面上には、背景色を選択するための背景色選択アイテムがさらに表示される。ユーザが背景色選択アイテムにタッチを入力すれば、制御部１６０は、表示部１３２を制御して、選択されたアイテムに対応する背景色にテキスト情報編集画面の背景色を変更して表示することができる。
【００８８】
図８は、テキスト情報リストからテキスト情報編集画面に切り替えられる形態と、テキスト情報編集画面の表示変更形態とを示す図である。
【００８９】
図８の［ａ］は、テキスト情報リストを示し、テキスト情報リストには、３個のテキスト情報アイテム８１が上側から下側方向に配列されている。それぞれのテキスト情報アイテム８１は、該当テキスト情報の全体文字列で構成される。また、それぞれのテキスト情報アイテム８１には、テキスト情報が生成された日付情報が表示されている。
【００９０】
図８の［ｂ］は、図８の［ａ］でユーザが２順位のテキスト情報アイテム８１にタップを入力した時に表示される画面に該当する。図８の［ｂ］は、テキスト情報編集画面を示し、テキスト情報編集画面は、テキスト情報編集ウィンドウ８２と背景色選択アイテム８３とから構成される。テキスト情報編集ウィンドウ８２には、２順位のテキスト情報アイテム８１のテキスト情報の全体内容が表示される。図８の［ｂ］には、テキスト情報を格納するための格納キーと、テキスト情報編集を取り消す取消キーがさらに表示されている。
【００９１】
図８の［ｃ］は、図８の［ｂ］において、ユーザがテキスト情報編集ウィンドウ８２にタップを入力した時のテキスト情報編集画面の変更形態を示す。図８の［ｂ］と比較する時、図８の［ｃ］でテキスト情報編集ウィンドウ８２は縮小され、キーボード８４がさらに表示される。また、図８の［ｂ］に表示された取消キーは、キーボード隠し機能のための隠しキー８５に変更されて表示される。
【００９２】
図８の［ｄ］は、図８の［ｃ］において、ユーザが隠しキー８５にタップを入力した時のテキスト情報編集画面の変更形態を示す。図８の［ｃ］と比較する時、図８の［ｄ］でキーボード８４が削除され、隠しキー８５も取消キーに変更されて表示される。図８の［ｄ］でユーザが取消キーにタップを入力すれば、ユーザが編集した内容が反映されていない図８の［ａ］のようなテキスト情報リスト画面に復帰する。
【００９３】
図８の［ｅ］は、図８の［ｄ］において、ユーザが格納キーにタップを入力した時の変更される表示画面を示す。図８の［ｅ］は、テキスト情報リスト画面に該当し、図８の［ａ］の２順位のテキスト情報アイテム８１は、編集された内容が反映された状態で、１順位のテキスト情報アイテム８１に移動して表示される。
【００９４】
図８の［ｆ］は、図８の［ｂ］において、ユーザが背景色選択アイテム８３を選択した時のテキスト情報編集画面の変更形態を示す。図８の［ｆ］でテキスト情報編集ウィンドウ８２は、ユーザが選択した背景色に変更されて表示される。図８の［ｇ］は、図８の［ｆ］において、ユーザが格納キーを入力した時の変更される表示画面を示す。図８の［ｇ］は、テキスト情報リストを示し、２順位のテキスト情報アイテム８１は、背景色が変更された形態で表示される。
【００９５】
一方、本明細書と図面に開示された本発明の実施例は、本発明の技術内容を容易に説明し、本発明の理解を助けるために特定例を提示したものに過ぎず、本発明の範囲を限定するものではない。ここに開示された実施例の他にも、本発明の技術的思想に基づいた他の変形例が実施可能であることは、本発明が属する技術分野で通常の知識を有する者に自明である。
【符号の説明】
【００９６】
１００：携帯端末機
３１、５１、７１、８１：テキスト情報アイテム
１１０：無線通信部
３２、５４：全体拡大キー
１２０：オーディオ処理部
３３、５２：全体縮小キー
１３０：タッチスクリーン部
５３：個別縮小キー
１３１：タッチセンサ部
５５：個別拡大キー
１３２：表示部
７２：複数の削除キー
１４０：キー入力部
７３：個別削除キー
１５０：格納部
７４：選択キー
１６０：制御部
７５：選択されたことを知らせるイメージ
８２：テキスト情報編集ウィンドウ
８３：背景色選択アイテム
８４：キーボード
８５：キーボード隠しキー
【図１】
0006014583.tif 000002
【図２】
0006014583.tif 000003
【図３】
0006014583.tif 000004
【図４】
0006014583.tif 000005
【図５】
0006014583.tif 000006
【図６】
0006014583.tif 000007
【図７】
0006014583.tif 000008
【図８】
0006014583.tif 000009